(57)【要約】【課題】合理的構成で拡大の倍率化を図ること。脱着が簡単、かつ、拡大レンズの交換が自在であること。【解決手段】背面当接壁及び立上がり壁を介して液晶表示部に着脱自在に装着する嵌合枠体の上壁の左右縁部にそれぞれ係合部を形成し、これらの係合部に両方向から同時に力を入れると材質自体の弾性力に抗して湾曲状態に変位する弾性変形機能と、逆に力を緩めると偏平状態に戻る弾性復帰変形機能とを有する薄板拡大レンズを係脱自在に嵌め込み、少なくとも１枚の薄板拡大レンズは前記嵌合枠体の上部開口或いは拡大レンズを有する上壁を基準にして液晶表示部の表示画面に対して所定空間を有して上方に対向配設されている携帯型情報端末機用の拡大表示器。【選択図】　図３
2004015605.tif 000002
【特許請求の範囲】
【請求項１】
背面当接壁及び立上がり壁を介して液晶表示部に着脱自在に装着する嵌合枠体の上壁の左右縁部にそれぞれ係合部を形成し、これらの係合部に両方向から同時に力を入れると材質自体の弾性力に抗して湾曲状態に変位する弾性変形機能と、逆に力を緩めると偏平状態に戻る弾性復帰変形機能とを有する薄板拡大レンズを係脱自在に嵌め込み、少なくとも１枚の薄板拡大レンズは前記嵌合枠体の上部開口或いは拡大レンズを有する上壁を基準にして液晶表示部の表示画面に対して所定空間を有して上方に対向配設されている携帯型情報端末機用の拡大表示器。
【請求項２】
請求項１に於いて、嵌合枠体の上壁の矩形状上部開口には拡大レンズが固定的に設けられ、この拡大レンズは、液晶表示部の表示画面に対して枠内空間を有して対向していることを特徴とする携帯型情報端末機用の拡大表示器。
【請求項３】
請求項１又は請求項２に於いて、交換可能な可動式の薄板拡大レンズは複数枚であり、これらの薄板拡大レンズは、嵌合枠体の上壁を基準にして液晶表示部の表示画面に対してそれぞれ所定空間を有して上方に対向配設されていることを特徴とする携帯型情報端末機用の拡大表示器。
【請求項４】
請求項１に於いて、左右一対の係合部の両端部にそれぞれ係合爪片を設け、これらの係合爪片に、上方に位置する第２薄板拡大レンズが表示画面の上方に湾曲状に係止されていることを特徴とする携帯型情報端末機用の拡大表示器。
【請求項５】
請求項１に於いて、嵌合枠体の上壁の左右縁部に内外の係合爪片を合計８個設け、これらの係合爪片に、上方に位置する第２薄板拡大レンズ及び下方に位置する第１薄板拡大レンズの両方が湾曲状に係止されていることを特徴とする携帯型情報端末機用の拡大表示器。
【請求項６】
請求項１に於いて、嵌合枠体の内壁面に、液晶表示部の上面の縁部にポイント的に摺動圧接する複数個の圧接手段が配設されていることを特徴とする携帯型情報端末機用の拡大表示器。
【発明の詳細な説明】
【０００１】
【発明の属する技術分野】
本発明は、携帯用電話機、携帯用電子手帳などの携帯型情報端末機用の拡大表示器に関する。
【０００２】
【従来の技術】
近年、ＰＨＳ，ｉ−ｍｏｄｅ（登録商標）などの携帯用電話機、携帯用電子手帳などの携帯型情報端末機が普及している。携帯型情報端末機の形態は、普通一般に用途との関係で掌にのることができるような大きさにする必要があることから、その形状や液晶表示部の表示画面の大きさも制約を受ける。
【０００３】
例えば携帯用電話機の種類は、入力操作部の上方に液晶表示部が連設するストレート型と、入力操作部と液晶表示部とが一体的に設けられた折り畳み型に大別することができる。後者の折り畳み型電話機は、前者のストレート型よりも縦長表示画面が多少大きいものの、それでも文字情報が小さいので、判別し難いという問題点がある。
【０００４】
そこで、従来、薄板状の拡大レンズ付携帯型情報端末機用の拡大表示器が色々と提案されている（実用新案登録第３０８１９４２号、特開２００−１９７１７７号など）。しかし、従来の先行技術は、携帯型電話機等の液晶表示部に拡大表示器を装着して表示画面に表れた文字情報の拡大を図るものであるが、拡大レンズが１枚であるため、拡大の倍率化を図ることができないという問題点があった。
【０００５】
例えば前記に列挙した実用新案登録第３０８１９４２号に記載の実施例は、電話機の背面に当接する背面当接壁及び側壁に対向する立上がり壁を介して液晶表示部に着脱自在に装着する枠体を構成要件とする点で本発明と同様である。
しかし、拡大レンズが１枚であること、枠体に対する拡大レンズの交換が自在でないこと、拡大レンズがヒンジを介して軸支されていることから傾倒し易いなど幾つか解決すべき問題点を有している。
【０００６】
また、後者の特開２００−１９７１７７号に記載の実施例は、電話機のフレームに圧着する伸縮性取付けバンドを有しているので、拡大レンズと電話機の液晶表示部の上面との間に十分な空間を設定することができない。そのため所望するような拡大の倍率化を図ることができない問題点を有している。
【０００７】
【発明が解決しようとする課題】
本発明の第１の目的は、携帯型情報端末機の表示画面の情報を、合理的な構成により、より一層の拡大の倍率化を図ることができること。本発明の第２の目的は、嵌合枠体に複数枚の拡大レンズを簡単に係脱或いは嵌合させることができること。換言すれば、拡大レンズが交換自在であること。本発明の第３の目的は、携帯型情報端末機の液晶表示部に装着した際に、嵌合枠体が自由に滑動しないこと。本発明の第４の目的は、嵌合枠体の脱着が簡単であること。
【０００８】
【課題を解決するための手段】
本発明の携帯型情報端末機用の拡大表示器は、背面当接壁及び立上がり壁を介して液晶表示部に着脱自在に装着する嵌合枠体の上壁の左右縁部にそれぞれ係合部を形成し、これらの係合部に両方向から同時に力を入れると材質自体の弾性力に抗して湾曲状態に変位する弾性変形機能と、逆に力を緩めると偏平状態に戻る弾性復帰変形機能とを有する薄板拡大レンズを係脱自在に嵌め込み、少なくとも１枚の薄板拡大レンズは前記嵌合枠体の上部開口或いは拡大レンズを有する上壁を基準にして液晶表示部の表示画面に対して所定空間を有して上方に対向配設されていることを特徴とする。
【０００９】
上記構成に於いて、嵌合枠体の上壁の矩形状上部開口には拡大レンズが固定的に設けられ、この拡大レンズは、液晶表示部の表示画面に対して枠内空間を有して対向している。また、交換可能な可動式の薄板拡大レンズは複数枚であり、これらの薄板拡大レンズは、嵌合枠体の上壁を基準にして液晶表示部の表示画面に対してそれぞれ所定空間を有して上方に対向配設されている。また、左右一対の係合部の両端部にそれぞれ係合爪片を設け、これらの係合爪片に、上方に位置する第２薄板拡大レンズが表示画面の上方に湾曲状に係止されている。
【００１０】
また、嵌合枠体の上壁の左右縁部に内外の係合爪片を合計８個設け、これらの係合爪片に、上方に位置する第２薄板拡大レンズ及び下方に位置する第１薄板拡大レンズの両方が湾曲状に係止されている。さらに、嵌合枠体の内壁面に、液晶表示部の上面の縁部にポイント的に摺動圧接する複数個の圧接手段が配設されている。
【００１１】
【発明の実施の形態】
図１乃至３図は、本発明の第１実施例を示す各説明図である。まず携帯型情報端末機の一例としての携帯用電話機Ｘを簡単に説明する。１は入力操作部、２は液晶表示部、３は軸支部である。入力操作部１と液晶表示部２は軸支部３を介して開閉自在である。前記入力操作部１の表面の上部には、液晶表示部２の表示画面４に表れるカーソルの方向やメニューの選択に用いられる方向盤や複数個の操作釦が設けられている。
【００１２】
次に図１乃至３図を参照にして携帯用電話機用の拡大表示器Ｙについて説明する。５は電話機Ｘの液晶表示部２に着脱自在に装着する角筒状の嵌合枠体である。この嵌合枠体５は、各壁と、その上壁に突設された少なくとも１枚以上の薄板拡大レンズを支持する係合部とで構成されている。
【００１３】
すなわち、６は液晶表示部２の背面と当接可能な背面当接壁で、この背面当接壁５は嵌合枠体５のベース板に相当する。背面当接壁５は液晶表示部２の背面の大きさを考慮して形成されている。
【００１４】
７は背面当接壁５の左右の両端部に交差方向に連設する左右の立上がり壁である。左右の立上がり壁７，７は、図２で示すように液晶表示部２の表示画面４よりも若干突出する高さに設定されている。
【００１５】
８は表示画面４に対向する矩形状上部開口９を有する上壁で、この上壁８は前記左右の立上がり壁７，７に交差状態に連設している。１０は嵌合枠体５の両端開口である。したがって、本実施例の嵌合枠体５は、両端開口１０，１０のいずれかを介して液晶表示部２に脱着自在に装着（嵌め込み）可能である。
【００１６】
１１は上壁８の左右縁部に突設された左右一対のレール状係合部である。左右の係合部１１，１１の内側には下方案内溝１２と、上方案内溝１３がそれぞれ形成されている。下方案内溝１２と上方案内溝１３は、本実施例では左右の係合部１１，１１の一端面（上端面）１１ａから一端面（下端面）１１ｂ寄りの部位まで一連に形成されている。前記下方案内溝１２と上方案内溝１３は、設計如何によっては外方向にやや湾曲状の曲率を有するように形成しても良いが、本実施例では水平或いは直線状に設けられている。
【００１７】
１５は前記下方案内溝１２に係脱自在に装着される矩形板状の第１薄板拡大レンズである。一方、１６は上方案内溝１３に係脱自在に装着される矩形板状の第２薄板拡大レンズである。
【００１８】
第１及び第２の薄板拡大レンズ１５，１６は、例えば親指と人差し指で両端部１５ａ，１５ｂ，１６ａ，１６ｂを持ち、両方向から同時に力を入れると、材質自体の弾性力に抗して湾曲状態に変位する弾性変形機能と、親指と人差し指の力を同時に緩めると、偏平状態に戻る弾性復帰変形機能とを有する。
【００１９】
しかして、本実施例では、第１及び第２の薄板拡大レンズ１５，１６は、図３で示すように偏平状態の形態を保持したまま対応する下方案内溝１２と上方案内溝１３にそれぞれ差込まれる。ここでは説明の便宜上、下方案内溝１２に係合する方を第１の薄板拡大レンズ１５とし、この第１の薄板拡大レンズ１５に対して所定の空間を有して上方に対向する方を第２の薄板拡大レンズ１６とする。第１及び第２の薄板拡大レンズ１５，１６は、左右の係合部１１，１１の下方案内溝１２と上方案内溝１３に案内されながら差込まれると、各挿入先端部１５ａ，１６ａは、左右の係合部のストッパー面（各案内溝の内端面のこと）に当り、液晶表示部２の縦長表示画面４にそれぞれ所定空間１８，１９を有して対向する。第１及び第２の薄板拡大レンズ１５，１６の一例としてはフレネルレンズが用いられている。
【００２０】
ところで、図２で示すように、本実施例では嵌合枠体５の上部開口９には、液晶表示部２の表示画面４に対して枠内空間２１を有して対向する拡大レンズ２０が固設されている。拡大レンズ２０は、第１及び第２の薄板拡大レンズ１５，１６が可動式レンズであるのに対し、固定式レンズに相当する。
【００２１】
したがって、前記枠内空間２１は、固定式レンズである拡大レンズ２０と液晶表示部２の表示画面４との間隙を意味する。なお、拡大レンズ２０も、第１及び第２の薄板拡大レンズ１５，１６と同様に嵌合枠体５の開口部に段差状の溝を介して着脱自在に固定しても良い。このような場合には、拡大レンズ２０も材質自体の弾性力に抗して湾曲状態に変位する弾性変形機能及び偏平状態に戻る弾性復帰変形機能とを有する。
【００２２】
次に本発明の第２実施例以降を説明する。以下、第２実施例以降の説明にあたって、第１実施例と同一又は同様（機能が同一）の部分には、同一又は同様の符号を付し、重複する説明を省略する。
【００２３】
図４及び図５に示す第２実施例の拡大表示器Ｙ１に於いて、第１実施例と主に異なる点は、上方に位置する第２薄板拡大レンズ１６Ａが液晶表示部２の縦長表示画面４の上方に湾曲状に係止されていることである。その結果、第１薄板拡大レンズ１５の上面と第２の薄板拡大レンズ１６Ａの湾曲状下面との間の所定空間１９Ａが第１実施例のそれよりも大きい。
【００２４】
さらに詳しく説明すると、嵌合枠体５Ａを電話機Ｘの液晶表示部２に装着した際に、第１及び第２の薄板拡大レンズ１５，１６Ａは、当該液晶表示部２の上方に、枠内空間２１や所定空間１８，１９Ａを有して配設されている点は第１実施例と同様であるが、上方に位置する第２薄板拡大レンズ１６Ａが、材質自体の弾性力に抗して湾曲状態に変位した格好で係合部（係止部）１１Ａ，１１Ａに取り付けられているので、前記所定空間１９Ａは大きくなっている。
【００２５】
しかして、第２実施例の左右の係合部１１Ａ，１１Ａの対向する内側には水平状態の下方案内溝１２が形成されている反面、第１実施例の左右の上方案内溝に代えて合計４個の係合爪片２２を左右の係合部１１Ａ，１１Ａの各端部にそれぞれ固定的に設けている。
【００２６】
上記構成に於いて、上方に位置する第２薄板拡大レンズ１６Ａの両端部を左右の係合部１１Ａ，１１Ａの各係合爪片２２にそれぞれ係止させると、第２薄板拡大レンズ１６Ａは材質自体の弾性力に抗して外方向に湾曲状態になる。その結果、前述したように第２薄板拡大レンズ１６Ａの湾曲状内壁面と第１薄板拡大レンズ１５の上面との内部空間１９Ａが非常に大きくなり、より一層の拡大の倍率化を図ることができる。
【００２７】
図６及び図７に示す第３実施例の拡大表示器Ｙ２に於いて、第１実施例と主に異なる点は、上方に位置する第２薄板拡大レンズ１６Ｂ及び下方に位置する第１薄板拡大レンズ１５Ｂの両方が、液晶表示部２の表示画面４の上方に湾曲状に係止装着されていることである。
【００２８】
すなわち、嵌合枠体５Ｂを電話機Ｘの液晶表示部２に装着した際に、第１及び第２の薄板拡大レンズ１５Ｂ，１６Ｂは、電話機Ｘの液晶表示部２の上方に、それぞれ所定空間１８Ｂ，１９Ｂを有して配設されている点は第１実施例と同様であるが、図７に示すように上下の薄板拡大レンズ１６Ｂ、１５Ｂが、それぞれ材質自体の弾性力に抗して湾曲状態に変位した格好で係合部（係止部）１１Ｂ，１１Ｂにそれぞれ取り付けられている。
【００２９】
したがって、この第３実施例の左右の係合部１１Ｂ，１１Ｂには上下の水平状態の案内溝が形成されていない反面、第１実施例の左右の上下案内溝に代えて合計８個の係合爪片２２Ｂを左右の係合部１１Ｂ，１１Ｂの各端部にそれぞれ固定的に設けている。なお、前記係合爪片２２Ｂは、図６で示すように内外の係合爪片２２Ｂに区別され、外側４個の係合爪片２２Ｂには第２薄板拡大レンズ１６Ｂの両端部が、また内側４個の係合爪片２２Ｂには第１薄板拡大レンズ１５Ｂの両端部がそれぞれ係合する。
【００３０】
このように構成すると、嵌合枠体５Ｂを電話機Ｘの液晶表示部２に装着した際に、図７で示すように液晶表示部２の表示画面４に対する第１及び第２薄板拡大レンズ１５Ｂ，１６Ｂの内壁面がそれぞれ遠ざかるので、内部空間１８Ｂ，１９Ｂが第１実施例のそれらと比較してそれぞれ大きくなり、より一層の拡大の倍率化を図ることができる。
【００３１】
図８及び図９に示す第４実施例の拡大表示器Ｙ３に於いて、第１実施例と主に異なる点は、上方に位置する第２薄板拡大レンズ１６Ｃの嵌合枠体５Ｃに対する装着構造である。
【００３２】
すなわち、第１実施例では係合部の上下の案内溝にそれぞれ差込むタイプであるが、この第４実施例の第２薄板拡大レンズ１６Ｃは、嵌合枠体５Ｃの上方から左右の係合部１１Ｃ，１１Ｃに嵌め込む嵌合タイプである。したがって、左右の係合部１１Ｃ，１１Ｃには、上方案内溝に代えて段差状の嵌合溝１３Ｃを形成してある。
【００３３】
図１０乃至図１２に示す第５実施例の拡大表示器Ｙ４に於いて、第１実施例と主に異なる点は、嵌合枠体５Ｄの内壁面、例えば上壁８Ｄの内壁面に、液晶表示部２の上面の縁部にポイント的に摺動圧接する複数個の圧接手段（弾性部材又は弾発性部材）２５を設けたことである。本実施例では変位可能な小板バネ２５が、上壁８Ｄの内壁面両端部寄りの部位に、合計４個配設されている。
【００３４】
上記構成に於いて、嵌合枠体５Ｄを電話機Ｘの液晶表示部２に嵌め込む時に、小板バネ２５がそのバネ力に抗して内側に変位し、その状態で液晶表示部２の上面の縁部と摺接する。したがって、嵌合枠体５Ｄを電話機Ｘの液晶表示部２に装着すると、小板バネ２５が４点状態で液晶表示部２に圧接するから、嵌合枠体５Ｄは自由に滑動しない。
【００３５】
【実施例】
嵌合枠体５〜５Ｄは両端開口の角筒状であるが、必ずしもこの形状に限定されない。例えば一端開口の筒状体であっても良い。また端面コ字型形状であっても良い。また各実施例には、第１及び第２の薄板拡大レンズがそれぞれ示されているが、必ずしも２枚である必要はなく、３枚又は４枚でも良い。逆に実施例のように矩形状上部開口に液晶表示部２の表示画面４に対して枠内空間２１を有して対向する拡大レンズ２０が固定的に設けられている場合には、拡大レンズ２０を基準にして突出する左右一対の係合部に嵌め込まれる薄板拡大レンズは１枚でも良い。
【００３６】
要は、嵌合枠体５〜５Ｄが、液晶表示部２の表示画面４に対してそれぞれ所定或いは所要空間を有して２枚以上の拡大レンズを備えており、かつ、係合部に係脱する薄板拡大レンズが交換可能であれば良い。
【００３７】
【発明の効果】
以上の説明から明らかなように、本発明にあっては、次に列挙するような効果がある。
（１）携帯型情報端末機の表示画面の情報を、合理的な構成により、より一層の拡大の倍率化を図ることができる。
（２）液晶表示部に対する嵌合枠体の脱着が簡単である。また、嵌合枠体に拡大レンズを簡単に係脱或いは嵌合させることができる。つまり、少なくとも１枚以上の薄板拡大レンズの交換が自在である。
（３）第５実施例は、携帯型情報端末機の液晶表示部に嵌合枠体を装着した際に、嵌合枠体が自由に滑動しない。
【図面の簡単な説明】
図１乃至図３は本発明の第１実施例を示す各概略説明図。図４及び図５は本発明の第２実施例を示す各概略説明図。図６及び図７は本発明の第３実施例を示す各概略説明図、図８及び図９は本発明の第４実施例を示す各概略説明図、図１０乃至図１２は本発明の第５実施例を示す各概略説明図。
【図１】第１実施例の斜視からの説明図（電話機の液晶表示部に装着した状態）。
【図２】図１の２−２線に基づく概略断面の説明図（電話機の構造を省略）。
【図３】液晶表示部と嵌合枠体と薄板拡大レンズとの関係を示す斜視からの説明図。
【図４】第２実施例の嵌合枠体の係合部と薄板拡大レンズとの関係を示す斜視からの説明図。
【図５】図４の５−５線に基づく概略断面の説明図（電話機の構造を省略）。
【図６】第３実施例の嵌合枠体の係合部と薄板拡大レンズとの関係を示す斜視からの説明図。
【図７】図６の７−７線に基づく概略断面の説明図（電話機の構造を省略）。
【図８】第４実施例の嵌合枠体の係合部と薄板拡大レンズとの関係を示す斜視からの説明図。
【図９】図８の９−９線に基づく概略断面の説明図（電話機の構造を省略）。
【図１０】第５実施例の液晶表示部と嵌合枠体との関係を示す斜視からの説明図。
【図１１】図１０の１１−１１線に基づく概略断面の説明図（電話機の構造を省略）。
【図１２】要部の概略断面説明図。
【符号の説明】
Ｘ…携帯型情報端末機、Ｙ〜Ｙ４…拡大表示器、１…入力操作部、２…液晶表示部、３…軸支部、４…表示画面、６…背面当接部、７…立上がり壁、８，８Ｄ…上壁、９…上部開口、１０…両端開口、１１，１１Ａ，１１Ｂ…係合部、１２…下方案内溝、１３…上方案内溝（１３Ｃ…嵌合溝）、１５，１５Ｂ…第１薄板拡大レンズ、１６，１６Ａ，１６Ｂ，１６Ｃ…第２薄板拡大レンズ、１８，１９…所定空間、２０…拡大レンズ、２１…枠内空間、２２…係合爪片、２５…圧接手段。
【図１】
2004015605.tif 000003
【図２】
2004015605.tif 000004
【図３】
2004015605.tif 000005
【図４】
2004015605.tif 000006
【図５】
2004015605.tif 000007
【図６】
2004015605.tif 000008
【図７】
2004015605.tif 000009
【図８】
2004015605.tif 000010
【図９】
2004015605.tif 000011
【図１０】
2004015605.tif 000012
【図１１】
2004015605.tif 000013
【図１２】
2004015605.tif 000014